(57)【要約】【課題】  信号の質と省電力とを両立する。【解決手段】  チューナは、入力端子１６と、制御回路２２と、ＮＩＭ１５および同調部２６と、分配器１２と、バイポーラトランジスタ１３と、スイッチング素子３０とを含む。入力端子１６は、放送信号を受付ける。制御回路２２は、ユーザが放送局を指定する。ＮＩＭ１５および同調部２６は、放送信号からユーザが指定した放送局の信号を選局する。分配器１２は、放送信号をＮＩＭ１５および同調部２６へ分配する。バイポーラトランジスタ１３は、分配器１２が分配した放送信号のいずれかを、同調部２６への分配の前に増幅する。スイッチング素子３０は、同調部２６が影響を受ける所定の要件が満たされると、バイポーラトランジスタ１３へ電力を供給する。【選択図】        図１
2006287732.tif 000002
【特許請求の範囲】
【請求項１】
放送信号を受付けるための受付手段と、
ユーザが放送局を指定するための指定手段と、
前記放送信号から前記ユーザが指定した放送局の信号を選局するための複数の選局手段と、
前記放送信号を前記複数の選局手段へ分配するための分配手段と、
前記分配手段が分配した放送信号のいずれかを、前記選局手段への分配の前に増幅するための増幅手段と、
前記選局手段が影響を受ける所定の要件が満たされると、前記増幅手段へ電力を供給するための供給手段とを含む、チューナ。
【請求項２】
前記増幅手段は、バイポーラトランジスタを含み、
前記供給手段は、前記バイポーラトランジスタのベース電圧をゼロ以外の値とすることにより、前記バイポーラトランジスタへ電力を供給するための手段を含む、請求項１に記載のチューナ。
【請求項３】
前記増幅手段は、電界効果トランジスタを含み、
前記供給手段は、前記電界効果トランジスタのゲート電圧をゼロ以外の値とすることにより、前記電界効果トランジスタへ電力を供給するための手段を含む、請求項１に記載のチューナ。
【請求項４】
前記供給手段は、前記増幅手段が増幅した放送信号の分配を受ける選局手段が選局中になるという要件が満たされると、前記増幅手段へ電力を供給するための手段を含む、請求項１に記載のチューナ。
【請求項５】
前記増幅手段へ電力を供給するための手段は、
前記放送信号の分配を受ける選局手段に対する同調電圧を検出するための手段と、
前記放送信号の分配を受ける選局手段に対する同調電圧に基づき、前記放送信号の分配を受ける選局手段が選局中か否かを判断するための手段と、
前記放送信号の分配を受ける選局手段が選局中になると、前記増幅手段へ電力を供給するための手段とを含む、請求項４に記載のチューナ。
【請求項６】
前記供給手段は、前記増幅手段が増幅した放送信号の分配を受ける選局手段が稼動できるという要件が満たされると、前記増幅手段へ電力を供給するための手段を含む、請求項１に記載のチューナ。
【請求項７】
前記増幅手段へ電力を供給するための手段は、
前記放送信号の分配を受ける選局手段への電力の供給の有無を検出するための手段と、
前記放送信号の分配を受ける選局手段への電力の供給が有ると、前記増幅手段へ電力を供給するための手段とを含む、請求項６に記載のチューナ。
【請求項８】
前記供給手段は、前記ユーザが放送局を指定するという要件が満たされると、前記増幅手段へ電力を供給するための手段を含む、請求項１に記載のチューナ。
【請求項９】
前記供給手段は、ＰＬＬ回路の出力ポートから所定の電圧の電力を供給するための手段を含む、請求項１に記載のチューナ。
【請求項１０】
前記増幅手段が増幅した放送信号の分配を受ける選局手段は、アナログ放送をする放送局の信号を選局するための手段を含む、請求項１に記載のチューナ。
【請求項１１】
前記増幅手段が増幅した放送信号の分配を受ける選局手段は、デジタル放送をする放送局の信号を選局するための手段を含む、請求項１に記載のチューナ。
【発明の詳細な説明】
【技術分野】
【０００１】
本発明は、チューナに関し、特に、放送の受信に用いるチューナに関する。
【背景技術】
【０００２】
特許文献１は、高周波信号を入力する信号入力端と、信号入力端から入力した高周波信号を増幅して出力する増幅器と、増幅器の出力を分配して、分配信号を出力する分配器と、分配信号の一つを出力する信号出力端とを備え、信号出力端に第１の電圧の直流を加えたとき、第１の電圧の直流に基いて第２の電圧の直流を出力して増幅器に駆動電流として与える定電圧回路を備えると共に、第１の電圧の直流が信号入力端から出力されるように構成したことを特徴とする信号分配器を開示する。
【０００３】
特許文献１に開示された発明によると、格別なスイッチ操作をする必要なく、省電力を実現できることができる。特許文献１に開示された発明のように、信号を分配することによるスルー出力信号の損失を補完するため、分配器の前段に増幅器を設けることは、一般によく実施されていることである。
【０００４】
特許文献２は、選局信号に応じて選局したＣＡＴＶ（Cable Television）放送を所定チャンネルのテレビ信号にＲＦ（Radio Frequency）変換しテレビ受像機に出力する復調回路を具備しないＣＡＴＶコンバータにおいて、ＲＦ変換信号を減衰させる減衰器と、通常はＲＦ変換信号をスルー出力し、選局時にはＲＦ変換信号を減衰器へ出力させる高周波スイッチと、選局時にＲＦ変換信号と同一の周波数の映像キャリア信号と音声キャリア信号を出力スルー出力端子とを具備することを特徹とするＣＡＴＶコンバータを開示する。
【０００５】
特許文献２に開示された発明によると、選局時に生ずる異音の発生を防止しかつ、音質および画質に影響を与えず入力信号を忠実に出力できる。
【特許文献１】特開平６−１２５５０３号公報
【特許文献２】特開平４−２３７２８６号公報
【発明の開示】
【発明が解決しようとする課題】
【０００６】
しかし、特許文献１に開示された発明では、強電界の地域にて使用されると、増幅回路で信号がひずむので、受信した信号の質が劣化し得るという問題点がある。図１１は、分配器１２の前段にＦＥＴ１４が配置されたチューナの回路図の例である。受信した信号の質が劣化し得るという問題点は、分配器の前段に増幅回路が配置されたチューナに共通する問題点である。受信した信号の質が劣化し得るという問題点は、分配器の後段に増幅回路を配置することで解消できる。図１２は、分配器１２の後段にＦＥＴ１４が配置されたチューナの回路図の例である。特許文献１に開示された発明を分配器の後段に増幅回路が配置されたチューナに対し適用することは困難である。信号を使用しない場合においても、増幅回路に電源を供給しなければならないので、発明の効果が失われるからである。
【０００７】
特許文献２に開示された発明では、そもそも信号を分配することについて何ら考慮されていないという問題点がある。信号を分配することについて何ら考慮されていないので、信号を分配すると分配器の後段において信号を検出し難くなる。信号が検出し難くなるので、弱電界の地域にて使用されると、ユーザによる放送の視聴が困難になる。
【０００８】
本発明は上述の問題点を解決するためになされたものであって、その目的は、信号の質と省電力とを両立できるチューナを提供することにある。
【課題を解決するための手段】
【０００９】
上記目的を達成するために、本発明のある局面に従うと、チューナは、受付手段と、指定手段と、複数の選局手段と、分配手段と、増幅手段と、供給手段とを含む。受付手段は、放送信号を受付ける。指定手段は、ユーザが放送局を指定する。複数の選局手段は、放送信号からユーザが指定した放送局の信号を選局する。分配手段は、放送信号を複数の選局手段へ分配する。増幅手段は、分配手段が分配した放送信号のいずれかを、選局手段への分配の前に増幅する。供給手段は、選局手段が影響を受ける所定の要件が満たされると、増幅手段へ電力を供給する。
【００１０】
また、上述の増幅手段は、バイポーラトランジスタを含むことが望ましい。供給手段は、バイポーラトランジスタのベース電圧をゼロ以外の値とすることにより、バイポーラトランジスタへ電力を供給するための手段を含むことが望ましい。
【００１１】
また、上述の増幅手段は、電界効果トランジスタを含むことが望ましい。供給手段は、電界効果トランジスタのゲート電圧をゼロ以外の値とすることにより、電界効果トランジスタへ電力を供給するための手段を含むことが望ましい。
【００１２】
また、上述の供給手段は、増幅手段が増幅した放送信号の分配を受ける選局手段が選局中になるという要件が満たされると、増幅手段へ電力を供給するための手段を含むことが望ましい。
【００１３】
また、増幅手段へ電力を供給するための手段は、放送信号の分配を受ける選局手段に対する同調電圧を検出するための手段と、放送信号の分配を受ける選局手段に対する同調電圧に基づき、放送信号の分配を受ける選局手段が選局中か否かを判断するための手段と、放送信号の分配を受ける選局手段が選局中になると、増幅手段へ電力を供給するための手段とを含むことが望ましい。
【００１４】
また、上述の供給手段は、増幅手段が増幅した放送信号の分配を受ける選局手段が稼動できるという要件が満たされると、増幅手段へ電力を供給するための手段を含むことが望ましい。
【００１５】
また、上述の増幅手段へ電力を供給するための手段は、放送信号の分配を受ける選局手段への電力の供給の有無を検出するための手段と、放送信号の分配を受ける選局手段への電力の供給が有ると、増幅手段へ電力を供給するための手段とを含むことが望ましい。
【００１６】
また、上述の供給手段は、ユーザが放送局を指定するという要件が満たされると、増幅手段へ電力を供給するための手段を含むことが望ましい。
【００１７】
また、上述の供給手段は、ＰＬＬ回路の出力ポートから所定の電圧の電力を供給するための手段を含むことが望ましい。
【００１８】
また、上述の増幅手段が増幅した放送信号の分配を受ける選局手段は、アナログ放送をする放送局の信号を選局するための手段を含むことが望ましい。
【００１９】
また、上述の増幅手段が増幅した放送信号の分配を受ける選局手段は、デジタル放送をする放送局の信号を選局するための手段を含むことが望ましい。
【発明の効果】
【００２０】
本発明に係るチューナは、信号の質と省電力とを両立できる。
【発明を実施するための最良の形態】
【００２１】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２２】
＜第１の実施の形態＞
以下、本発明の第１の実施の形態に係るチューナについて説明する。
【００２３】
図１を参照して、本実施の形態に係るチューナは、放送局の放送信号を選局する装置である。本実施の形態に係るチューナは、地上波デジタル放送とアナログ放送とを選局できる。本実施の形態に係るチューナは、第１ブロック１０と、第２ブロック２０とを含む。第１ブロック１０は、デジタル放送をする放送局からの放送信号を選局するブロックである。第２ブロック２０は、第１ブロック１０からのスルー出力を介して、アナログ放送をする放送局からの放送信号を選局するブロックである。
【００２４】
第１ブロック１０は、分配器１２と、バイポーラトランジスタ１３と、ＮＩＭ（Network Interface Module）１５と、入力端子１６と、スルー出力端子１８とを含む。分配器１２は、放送信号をＮＩＭ１５および後述する同調部２６へ分配する装置である。バイポーラトランジスタ１３は、分配器１２が分配した放送信号のいずれかを、同調部２６への分配の前に増幅する素子である。ＮＩＭ１５は、放送信号からユーザが指定した放送局の信号を選局する装置である。ＮＩＭ１５が信号を選局する放送局は、デジタル放送をする放送局の信号である。入力端子１６は、放送信号を受付ける端子である。スルー出力端子１８は、放送信号を出力する。
【００２５】
第２ブロック２０は、供給回路２２と、入力端子２４と、同調部２６とを含む。供給回路２２は、所定の要件が満たされると、バイポーラトランジスタ１３へ電力を供給する装置である。入力端子２４は、スルー出力端子１８からの放送信号を同調部２６へ中継する。同調部２６は、放送信号からユーザが指定した放送局（本実施の形態の場合、アナログ放送をする放送局）の信号を選局する回路である。供給回路２２は、スイッチング素子３０と、制御回路３２とを含む。スイッチング素子３０は、バイポーラトランジスタ１３と電源４０とを繋ぐ回路を開閉する素子である。本実施の形態の場合、スイッチング素子３０は、電界効果トランジスタ（Field Effect Transistor、以下「ＦＥＴ」と称する）により実現されることとする。制御回路３２は、スイッチング素子３０を制御する回路である。本実施の形態の場合、制御回路３２は、図示しないキーを介して、ユーザが放送局を指定するための回路でもある。
【００２６】
図２を参照して、チューナで実行されるプログラムは、電力の供給に関し、以下のような制御を実行する。
【００２７】
ステップ２００（以下、ステップをＳと略す。）にて、制御回路３２は、同調部２６がＲＦ信号を処理中か否かを判断する。ＲＦ信号を処理中と判断した場合（Ｓ２００にてＹＥＳ）、処理はＳ２０２へと移される。もしそうでないと（Ｓ２００にてＮＯ）、処理はＳ２０４へと移される。Ｓ２０２にて、制御回路３２は、スイッチング素子３０を制御するポートの出力を「高」にする。これにより、供給回路２２は、バイポーラトランジスタ１３のベース電圧をゼロ以外の値とすることにより、バイポーラトランジスタ１３へ電力を供給することとなる。Ｓ２０４にて、制御回路３２は、スイッチング素子３０を制御するポートの出力を「低」にする。これにより、バイポーラトランジスタ１３のベース電圧の値は「０」となる。
【００２８】
以上のような構造およびフローチャートに基づく、チューナの動作について説明する。
【００２９】
制御回路３２は、自らが実施中の処理に基づき、同調部２６がＲＦ信号を処理中か否かを判断する（Ｓ２００）。ＲＦ信号を処理中と判断した場合（Ｓ２００にてＹＥＳ）、制御回路３２はスイッチング素子３０を制御するポートの出力を「高」にする（Ｓ２０２）。出力が「高」にされると、スイッチング素子３０はバイポーラトランジスタ１３と電源４０とを繋ぐ回路を閉じる。回路が閉じられると、バイポーラトランジスタ１３のベース電圧は「０」以外の値となる。これにより、供給回路２２は、同調部２６が影響を受ける所定の要件（本実施の形態の場合、同調部２６がＲＦ信号を処理中であるという要件）が満たされると、バイポーラトランジスタ１３へ電力を供給することとなる。バイポーラトランジスタ１３は、分配器１２が分配した放送信号のいずれかを、同調部２６への分配の前に増幅することとなる。増幅された信号は、スルー出力端子１８および入力端子２４を介して同調部２６に供給される。同調部２６は、放送信号からユーザが指定した放送局の信号を選局する。
【００３０】
以上のようにして、本実施の形態に係るチューナは、分配された信号を増幅し、増幅された信号からユーザが指定した放送局の信号を選局する。分配された信号が増幅されるので、受信した放送信号の質が劣化することは防止される。スルー出力を利用しない場合、増幅器（本実施の形態の場合バイポーラトランジスタ）への電力の供給はない（バイポーラトランジスタのベース電圧が「０Ｖ」となる）。省電力化を図るためである。その結果、信号の質と省電力とを両立できるチューナを提供することができる。
【００３１】
なお、第１ブロック１０は、アナログ放送をする放送局からの放送信号を選局するブロックであってもよい。この場合、ＮＩＭ１５は、デジタル放送をする放送局の信号を選局する装置となる。第２ブロック２０は、第１ブロック１０からのスルー出力を介して、デジタル放送をする放送局からの放送信号を選局するブロックとなる。同調部２６は、デジタル放送をする放送局の信号を選局する回路となる。この場合も、上述した効果と同様の効果が得られる。
【００３２】
また、スイッチング素子３０に代えて、任意のスイッチング素子を用いてもよい。スイッチング素子の例として、ＦＥＴ以外の種類のトランジスタがある。
【００３３】
また、制御回路３２は、ＰＬＬ（Phase Locked Loop）回路の出力ポートから所定の電圧（どの程度の電圧かは、本実施の形態にかかるチューナの設計者により、任意に定められる）の電力を供給する、ＭＯＰＬＬ（mixer-oscillator/phase locked loop）ＩＣであってもよい。この場合、制御回路３２は、同調部２６に出力する選局用の信号とスイッチング素子３０に出力するスイッチング用の信号（ＭＯＰＬＬ  ＩＣを使用する場合、スイッチング用の信号は「高」を表わす信号または「低」を表わす信号のいずれかとなる）とを同期させることができる。これらの信号を同期させることができると、同調部２６の同調電圧や第２ブロック２０に供給される電圧を観測しなくても、適切なタイミングでバイポーラトランジスタ１３へ電力を供給することができる。
【００３４】
＜第２の実施の形態＞
以下、本発明の第２の実施の形態に係るチューナについて説明する。
【００３５】
図３を参照して、本実施の形態に係るチューナは、第１ブロック５０と、第２ブロック６０とを含む。第２ブロック６０は、アナログ放送をする放送局の信号を選局する装置である。
【００３６】
第１ブロック５０は、分配器１２と、ＦＥＴ１４と、ＮＩＭ１５と、入力端子１６と、スルー出力端子１８とを含む。ＦＥＴ１４は、分配器１２が分配した放送信号のいずれかを同調部２６への分配の前に増幅する素子である。
【００３７】
第２ブロック６０は、入力端子２４と、同調部２６と、制御回路６２とを含む。制御回路６２は、所定の要件が満たされると、ＦＥＴ１４へ電力を供給するための回路である。制御回路４４は、ＦＥＴ１４に対し電力を供給する端子である供給ポート６４を含む。
【００３８】
なお、その他のハードウェア構成については前述の第１の実施の形態と同じである。それらについての機能も同じである。したがって、それらについての詳細な説明はここでは繰返さない。
【００３９】
図４を参照して、チューナで実行されるプログラムは、電力の供給に関し、以下のような制御を実行する。なお、図４に示すフローチャートの中で、前述の図２に示した処理は同じステップ番号を付してある。それらの処理も同じである。したがって、それらについての詳細な説明はここでは繰返さない。
【００４０】
Ｓ２１０にて、制御回路４４は、電力を供給する供給ポート６４の出力を「高」にする。Ｓ２１２にて、制御回路６２は、供給ポート６４の出力を「低」にする。
【００４１】
以上のような構造およびフローチャートに基づく、チューナの動作について説明する。
【００４２】
制御回路６２は、自らが実施中の処理に基づき、同調部２６がＲＦ信号を処理中か否かを判断する（Ｓ２００）。この場合、同調部２６がＲＦ信号を処理中であるとすると（Ｓ２００にてＹＥＳ）、制御回路６２は、供給ポート６４の出力を「高」にする（Ｓ２１０）。制御回路６２は、ＦＥＴ１４のゲート電圧を「０」以外の値とすることにより、ＦＥＴ１４へ電力を供給する回路となる。ＦＥＴ１４は、分配器１２が分配した放送信号のいずれかを、同調部２６への分配の前に増幅することとなる。
【００４３】
以上のようにして、本実施の形態に係るチューナは、分配器が分配した放送信号を同調部への分配の前に増幅する。これにより、受信した放送信号の質が劣化することは防止される。その結果、信号の質と省電力とを両立できるチューナを提供することができる。
【００４４】
なお、第１ブロック５０は、アナログ放送をする放送局からの放送信号を選局するブロックであってもよい。この場合、ＮＩＭ１５は、デジタル放送をする放送局の信号を選局する装置となる。第２ブロック６０は、第１ブロック５０からのスルー出力を介して、デジタル放送をする放送局からの放送信号を選局するブロックとなる。同調部２６は、デジタル放送をする放送局の信号を選局する回路となる。この場合も、上述した効果と同様の効果が得られる。
【００４５】
また、制御回路６２は、ＰＬＬ（Phase Locked Loop）回路を含む、ＭＯＰＬＬ（mixer-oscillator/phase locked loop）ＩＣであってもよい。この場合、制御回路６２は、同調部２６に出力する選局用の信号とＦＥＴ１４に対する電力の供給のタイミングとを同期させることができる。これらを同期させることができると、同調部２６の同調電圧や第２ブロック２０に供給される電圧を観測しなくても、適切なタイミングでバイポーラトランジスタ１３へ電力を供給することができる。
【００４６】
＜第３の実施の形態＞
以下、本発明の第３の実施の形態に係るチューナについて説明する。
【００４７】
図５を参照して、本実施の形態に係るチューナは、第１ブロック７０と、第２ブロック８０とを含む。第１ブロック７０は、デジタル放送をする放送局の信号を選局する装置である。第２ブロック８０は、アナログ放送をする放送局の信号を選局するための装置である。
【００４８】
第１ブロック７０は、分配器１２と、ＦＥＴ１４と、ＮＩＭ１５と、入力端子１６と、スルー出力端子１８と、モニタ端子７２とを含む。モニタ端子７２は、ＮＩＭ１５の同調電圧を後述する比較回路８４に出力する。
【００４９】
第２ブロック８０は、入力端子２４と、同調部２６と、制御回路８２とを含む。制御回路８２は、所定の要件が満たされると、ＦＥＴ１４電力を供給する回路である。
【００５０】
制御回路８２は、比較回路８４を含む。比較回路８４は、モニタ端子７２から出力された同調電圧と同調部２６の同調電圧とを比較する回路である。なお、その他のハードウェア構成については前述の第２の実施の形態と同じである。それらについての機能も同じである。したがって、それらについての詳細な説明はここでは繰返さない。
【００５１】
図６を参照して、チューナで実行されるプログラムは、電力の供給に関し、以下のような制御を実行する。なお、図６に示すフローチャートの中で、前述の図４に示した処理は同じステップ番号を付してある。それらの処理も同じである。したがって、それらについての詳細な説明はここでは繰返さない。
【００５２】
Ｓ２２０にて、比較回路８４は、モニタ端子７２から出力された同調電圧と同調部２６に対する同調電圧とを観測し、かつ比較する。
【００５３】
Ｓ２２２にて、制御回路８２は、比較回路８４が比較した結果に基づき、同調部２６が選局状態にあるか否かを判断する。本実施の形態の場合、制御回路８２は、モニタ端子７２から出力された同調電圧と同調部２６に対する同調電圧との差が所定の大きさ以上になると、同調部２６が選局状態にあると判断する。一般に同調電圧は、電源の投入時に最大値となり、かつ選局状態にある場合、選局された放送に対応する電圧となるためである。モニタ端子７２から出力された同調電圧を比較の対象とするのは、電源の投入時における同調部２６に対する同調電圧の代用とするためである。ちなみに同調部２６が使用されていない場合、同調部２６に電力が供給されなくなるので、同調電圧は最小値となる。同調電圧が最小値となった場合、制御回路８２はＦＥＴ１４への電力を遮断する。選局状態にある場合（Ｓ２２２にてＹＥＳ）、処理はＳ２１０へと移される。もしそうでないと（Ｓ２２２にてＮＯ）、処理はＳ２１２へと移される。
【００５４】
以上のような構造およびフローチャートに基づく、チューナの動作について説明する。
【００５５】
比較回路８４は、モニタ端子７２から出力された同調電圧と同調部２６の同調電圧とを比較する（Ｓ２２０）。これにより、比較回路８４は、同調部２６（ＦＥＴ１４が増幅した放送信号の分配を受ける回路）に対する同調電圧を検出することとなる。同調電圧が比較されると、制御回路８２は、同調部２６が選局状態にあるか否かを判断する（Ｓ２２２）。これにより、制御回路８２は、同調部２６に対する同調電圧に基づき、同調部２６が選局中か否かを判断することとなる。同調部２６が選局状態にあると判断されると（Ｓ２２２にてＹＥＳ）、制御回路８２は、供給ポート６４の出力を「高」にする（Ｓ２１０）。これにより、制御回路８２は、同調部２６が選局中になると、ＦＥＴ１４へ電力を供給することとなる。
【００５６】
以上のようにして、本実施の形態に係るチューナは、同調部に対する同調電圧を検出し、選局による同調電圧の変化でアナログ放送用の同調部の使用の有無（すなわち、スルー出力を介したアナログ放送の受信の要否）を判断し、増幅器であるＦＥＴへの電力の供給を制御する。ＦＥＴは、分配された放送信号のいずれかを同調部への分配の前に増幅する。これにより、受信した信号の出力の劣化は防止される。その結果、信号の質と省電力とを両立できるチューナを提供することができる。
【００５７】
なお、第１ブロック７０は、アナログ放送をする放送局からの放送信号を選局するブロックであってもよい。この場合、ＮＩＭ１５は、デジタル放送をする放送局の信号を選局する装置となる。第２ブロック８０は、第１ブロック７０からのスルー出力を介して、デジタル放送をする放送局からの放送信号を選局するブロックとなる。同調部２６は、デジタル放送をする放送局の信号を選局する回路となる。この場合も、上述した効果と同様の効果が得られる。
【００５８】
また、比較回路８４は、モニタ端子７２から出力された同調電圧（ＮＩＭ１５の同調電圧）と電源４０の電圧とを比較する回路であってもよい。この場合、Ｓ２２０にて、比較回路８４は、モニタ端子７２から出力された同調電圧と電源４０の電圧とを観測し、かつ比較することとなる。これによっても、比較回路８４は、同調部２６（ＦＥＴ１４が増幅した放送信号の分配を受ける回路）に対する同調電圧を検出することとなる。モニタ端子７２から出力された同調電圧と電源４０の電圧とが観測されると、Ｓ２２２にて、制御回路８２は、比較回路８４が比較した結果に基づき（たとえばモニタ端子７２から出力された同調電圧と電源４０の電圧との差が所定の大きさ以上か否かに応じて）、同調部２６が選局状態にあるか否かを判断することとなる。これによっても、制御回路８２は、同調部２６に対する同調電圧に基づき、同調部２６が選局中か否かを判断することとなる。
【００５９】
＜第４の実施の形態＞
以下、本発明の第４の実施の形態に係るチューナについて説明する。
【００６０】
図７を参照して、本実施の形態に係るチューナは、第１ブロック５０と、第２ブロック５０とを含む。第２ブロック５０は、デジタル放送をする放送局の信号を選局する装置である。
【００６１】
第２ブロック５０は、入力端子２４と、同調部２６と、制御回路９２とを含む。制御回路９２は、所定の要件が満たされると、ＦＥＴ１４へ電力を供給する回路である。
【００６２】
制御回路９２は、検流計９４を含む。検流計９４は、同調部２６（ＦＥＴ１４が増幅した放送信号の分配を受ける回路）への電力の供給の有無を検出する装置である。なお、その他のハードウェア構成については前述の第２の実施の形態と同じである。それらについての機能も同じである。したがって、それらについての詳細な説明はここでは繰返さない。
【００６３】
図８を参照して、チューナで実行されるプログラムは、電力の供給に関し、以下のような制御を実行する。なお、図８に示すフローチャートの中で、前述の図４に示した処理は同じステップ番号を付してある。それらの処理も同じである。したがって、それらについての詳細な説明はここでは繰返さない。
【００６４】
Ｓ２３０にて、検流計９４は電源４０からのチューナへの電流を観測する。
【００６５】
Ｓ２３２にて、制御回路９２は、検流計９４が観測した電流に基づき、同調部２６がスタンバイ状態にあるか否か（同調部２６が稼動できる程度の電力が供給されているか否か、すなわち同調部２６が稼動できるか否か）を判断する。スタンバイ状態にあると判断した場合（Ｓ２３２にてＹＥＳ）、処理はＳ２１０へと移される。もしそうでないと（Ｓ２３２にてＮＯ）、処理はＳ２１２へと移される。
【００６６】
以上のような構造およびフローチャートに基づく、チューナの動作について説明する。
【００６７】
検流計９４は、チューナへの電流を観測する（Ｓ２３０）。これにより、検流計９４は同調部２６（ＦＥＴ１４が増幅した放送信号の分配を受ける回路）への電力の供給の有無を検出する装置となる。電流が観測されると、制御回路９２は、同調部２６がスタンバイ状態にあるか否かを判断する（Ｓ２３２）。スタンバイ状態にある（同調部２６が稼動できる）とすると（Ｓ２３２にてＹＥＳ）、制御部５２は、供給ポート６４の出力を「高」にする（Ｓ２１０）。一般にデジタル放送とアナログ放送とを受信できるチューナは、チャンネル選局時にデジタル放送用のブロックとアナログ放送用のブロックとのどちらを稼動させるかを、リモコンの切替えボタンなどを介して受付ける。選択された方のブロックには電源が投入される（これにより、選択された方のブロックはスタンバイ状態になる）。スタンバイ状態になった後、選局信号(データ)が入力されると同調が開始される。本実施の形態の場合、アナログ放送用のブロックを稼動させるための切替えボタンが押され、スタンバイ状態になった時点で、ＦＥＴ１４にも電力が供給されることとする（逆に、デジタル放送用のブロックを稼動させるための切替えボタンが押された場合、デジタル放送用のブロックの電源は遮断され、同時にＦＥＴ１４への電力の供給も遮断される）。これにより、スルー出力を介したアナログ放送の受信の要否が判断され、ＦＥＴ１４への電力の供給が制御されることとなる。これにより、制御回路９２は、同調部２６への電力の供給が有ることにより、同調部２６が稼動できるという要件が満たされると、ＦＥＴ１４へ電力を供給する回路となる。
【００６８】
以上のようにして、本実施の形態に係るチューナは、同調部への電力の供給があると、ＦＥＴへ電力を供給する。これにより、受信した信号の質が劣化することは防止される。その結果、信号の質と省電力とを両立できるチューナを提供することができる。
【００６９】
なお、第１ブロック５０は、アナログ放送をする放送局からの放送信号を選局するブロックであってもよい。この場合、ＮＩＭ１５は、デジタル放送をする放送局の信号を選局する装置となる。第２ブロック５０は、第１ブロック５０からのスルー出力を介して、デジタル放送をする放送局からの放送信号を選局するブロックとなる。同調部２６は、デジタル放送をする放送局の信号を選局する回路となる。この場合も、上述した効果と同様の効果が得られる。
【００７０】
また、検流計９４に代えて、検電計を用いてもよい。
【００７１】
＜第５の実施の形態＞
以下、本発明の第５の実施の形態に係るチューナについて説明する。図９を参照して、本実施の形態に係るチューナは、第１ブロック５０と第２ブロック１００と受信部１１０とを含む。第２ブロック１００は、デジタル放送をする放送局の信号を選局する装置である。受信部１１０は、リモコン（リモートコントローラの略）１１０からの信号を受付け、信号を処理するマイクロコンピュータである。受信部１１０は、リモコン１２０を介して、ユーザが放送局を指定するためのマイクロコンピュータでもある。
【００７２】
第２ブロック１００は、入力端子２４と、同調部２６と、制御回路１０２とを含む。制御回路１０２は、ユーザが放送局を指定すると、ＦＥＴ１４への電力を供給する回路である。なお、その他のハードウェア構成については前述の第２の実施の形態と同じである。それらについての機能も同じである。したがって、それらについての詳細な説明はここでは繰返さない。
【００７３】
図１０を参照して、チューナで実行されるプログラムは、電力の供給に関し、以下のような制御を実行する。なお、図１０に示すフローチャートの中で、前述の図４に示した処理は同じステップ番号を付してある。それらの処理も同じである。したがって、それらについての詳細な説明はここでは繰返さない。
【００７４】
Ｓ２４０にて、受信部１１０はリモコン１２０から信号を受信する。受信部１１０は、受信した信号に選局に関する指示が含まれているか否かを判別する。選局に関する指示が含まれている場合、受信部１１０は、信号から、ユーザが指定した放送局を読取る。放送局が読取られると、受信部１１０は、第１ブロック５０および第２ブロック１００のうち選局に用いるブロックに電源が投入されているか否かを確認する。電源が投入されていない場合、受信部１１０は、選局に用いるブロックの電源を投入する。電源が投入された状態になると、受信部１１０は、受信した信号を制御回路１０２が利用できる信号に変換する。信号が変換されると、受信部１１０は、読取られた放送局を表わす信号を制御回路１０２に出力する。
【００７５】
Ｓ２４２にて、制御回路１０２は受信部１１０が出力した信号がユーザによる放送局の指定を表わすか否か（放送局を選局する旨か否か）を判断する。選局する旨と判断した場合（Ｓ２４２にてＹＥＳ）、処理はＳ２１０へと移される。もしそうでないと（Ｓ２４２にてＮＯ）、処理はＳ２１２へと移される。
【００７６】
以上のような構造およびフローチャートに基づく、チューナの動作について説明する。
【００７７】
受信部１１０はリモコン１２０から信号を受信する（Ｓ２４０）。信号が受信されると、制御回路１０２は、受信された信号が選局する旨の信号が否かを判断する（Ｓ２４２）。この場合、選局する旨の信号とすると（Ｓ２４２にてＹＥＳ）、制御回路１０２は供給ポート６４の出力を「高」にする（Ｓ２１０）。これにより、制御回路１０２は、ユーザが放送局を指定するという要件が満たされると、ＦＥＴ１４へ電力を供給することとなる。
【００７８】
以上のようにして、本実施の形態に係るチューナは、ユーザが放送局を指定するとＦＥＴに電力を供給する。これにより、制御回路は、第２ブロック（アナログ放送用のブロック）へ入力される選局用の信号を観測し、選局用の信号が入力された時点で第２ブロックの使用の有無、すなわち第１ブロックのスルー出力を介したアナログ放送の受信の要否を判断し、ＦＥＴへの電力の供給を制御することとなる。ＦＥＴへの電力の供給が制御されるので、受信した信号の質が劣化することは防止される。その結果、信号の質と省電力とを両立できるチューナを提供することができる。
【００７９】
なお、第１ブロック５０は、アナログ放送をする放送局からの放送信号を選局するブロックであってもよい。この場合、ＮＩＭ１５は、デジタル放送をする放送局の信号を選局する装置となる。第２ブロック１００は、第１ブロック５０からのスルー出力を介して、デジタル放送をする放送局からの放送信号を選局するブロックとなる。同調部２６は、デジタル放送をする放送局の信号を選局する回路となる。この場合も、上述した効果と同様の効果が得られる。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００８１】
【図１】本発明の第１の実施の形態に係るチューナのブロック図である。
【図２】本発明の第１の実施の形態に係るチューナの電力の供給処理の制御の手順を示すフローチャートである。
【図３】本発明の第２の実施の形態に係るチューナのブロック図である。
【図４】本発明の第２の実施の形態に係るチューナの電力の供給処理の制御の手順を示すフローチャートである。
【図５】本発明の第３の実施の形態に係るチューナのブロック図である。
【図６】本発明の第３の実施の形態に係るチューナの電力の供給処理の制御の手順を示すフローチャートである。
【図７】本発明の第４の実施の形態に係るチューナのブロック図である。
【図８】本発明の第４の実施の形態に係るチューナの電力の供給処理の制御の手順を示すフローチャートである。
【図９】本発明の第５の実施の形態に係るチューナのブロック図である。
【図１０】本発明の第５の実施の形態に係るチューナの電力の供給処理の制御の手順を示すフローチャートである。
【図１１】分配器の前段に増幅回路が配置されたチューナのブロック図の例である。
【図１２】分配器の後段に増幅回路が設置されたチューナのブロック図の例である。
【符号の説明】
【００８２】
１０，５０，７０  第１ブロック、１２  分配器、１３  バイポーラトランジスタ、１４  ＦＥＴ、１５  ＮＩＭ、１６，２４  入力端子、１８  スルー出力端子、２０，６０，８０，９０，１００  第２ブロック、２２  供給回路、２６  同調部、３０  スイッチング素子、３２，６２，８２，９２，１０２  制御回路、４０  電源、６４  供給ポート、７２  モニタ端子、８４  比較回路、９４  検流計、１１０  受信部、１２０  リモコン。
【図１】
2006287732.tif 000003
【図２】
2006287732.tif 000004
【図３】
2006287732.tif 000005
【図４】
2006287732.tif 000006
【図５】
2006287732.tif 000007
【図６】
2006287732.tif 000008
【図７】
2006287732.tif 000009
【図８】
2006287732.tif 000010
【図９】
2006287732.tif 000011
【図１０】
2006287732.tif 000012
【図１１】
2006287732.tif 000013
【図１２】
2006287732.tif 000014